Podtech/llm-jp-corpus-v4-ja_patent huggingface dataset:
(57)【要約】【課題】本考案は、腹筋時の脚の浮き上がり防止と少しずつ後退し場所が移動してしまう事に対応するものである。また、ウエイトトレーニング時に万が一落下した場合でもダンベルよりはるかに危険度が少ない。【解決手段】本考案は、４ぬいぐるみの中に３錘袋と５クッション材を詰めた錘入りぬいぐるみを作り足首に載せる事で、脚の浮き上がりを防止し、少しずつ後退し場所移動してしまう事にも一緒に移動してくれるので、なにも使わずに腹筋する時に比べ何倍もの腹筋回数がこなせる。錘が布袋・クッション材・ぬいぐるみ生地の三重に包まれているため足首の保護になり、ぬいぐるみで出来ているので癒しにもなる。また、ウエイトトレーニング用に使用してもダンベルに比べ万が一の落下時にも危険度が少ない。疲れたら枕としても使用でき、使用しない時はインテリアとして飾っておける。【選択図】図１
0003139983.tif 000002
【実用新案登録請求の範囲】
【請求項１】
ぬいぐるみの中に砂・砂利・鉄粒等の錘になるものを詰めた錘袋と錘袋の周りに綿・スポンジ・羽毛等のクッション材になるものを詰めて作った、どこへでも持ち運び簡単な腹筋・ウエイトトレーニング用錘入りぬいぐるみである。また、枕としても使用できる。
【考案の詳細な説明】
【技術分野】
【０００１】  本考案は、ぬいぐるみの中に砂・砂利・鉄粒等の錘になるものを詰めた錘袋と錘袋の周りに綿・スポンジ・羽毛等のクッション材を詰めて作った腹筋・ウエイトトレーニング用ぬいぐるみである。また、枕としても使用できる。
【背景技術】
【０００２】  床に仰向けになり上半身を屈伸させる腹筋運動において、腹筋回数が増える度に腹筋にだんだん力が無くなり脚が宙に浮いてしまいます。また、腹筋の屈伸運動に伴ないお尻の筋肉大臀筋も伸縮するため、腹筋する度少しずつ後退し場所が移動してしまいます。従来の腹筋器具は、脚が宙に浮かないように足首を固定するためベンチタイプのように場所を取るような大きい物が多く、少しずつ後退し場所が移動してしまうことに対応できるものではありませんでした。また、ウエイトトレーニングにはダンベル等のように落としたら危険度が高い物が多かった。
【考案の開示】
【考案が解決しようとする課題】
【０００３】  床に仰向けになり上半身を屈伸させる腹筋運動において、腹筋回数が増える度に腹筋にだんだん力が無くなり脚が宙に浮いてしまいます。また、腹筋の屈伸運動に伴ないお尻の筋肉大臀筋も伸縮するため、腹筋する度少しずつ後退し場所が移動してしまいます。また、ウエイトトレーニング用品はダンベルのように落下時危険度が高いものが多い。
【課題を解決するための手段】
【０００４】  上記の課題を解決するために本考案は、ぬいぐるみの底面と同じような形で一回り小さい袋を作り中に砂・砂利・鉄粒等の錘を詰めた錘袋を作る。この錘袋をぬいぐるみの中に入れ錘袋の周りに綿・スポンジ・羽毛等のクッション材を詰めて作った錘入りぬいぐるみである。また、この錘入りぬいぐるみを足首に載せた時ずり落ちないようにするため、両脇が床に着くような大きさにする。錘を布袋・クッション材・ぬいぐるみ生地で包むことにより足首の保護になり、ウエイトトレーニング時に万が一落下しても危険度は少ない。また、ぬいぐるみにすることで応援されているような気分になり、癒しの効果にもなる。面倒な着脱もなく持ち運びも簡単なのでどこへでも持って行ける。また、腹筋・ウエイトトレーニング時疲れた時枕にもなる。
【考案の効果】
【０００５】  床に仰向けになり上半身を屈伸させる腹筋運動において、本考案の錘入りぬいぐるみ枕を足首に載せることで脚が宙に浮いてしまう現象を抑え、腹筋する度少しずつ後退し移動してしまう現象も錘入りぬいぐるみ枕が足首に載っているため一緒に移動してくれるので、固定されている腹筋器具に比べイライラせずに腹筋回数をこなすことができる。本考案の錘入りぬいぐるみ枕を足首に載せて腹筋すると、何も使わずに腹筋する時の何倍もの腹筋ができるため、腸の蠕動運動が活発になり便秘解消になる。また、顎先にも力が入るため二重顎の改善やメタボリックシンドローム（内臓脂肪症候群）にも効果がある。また、錘袋をぬいぐるみの中に入れたことで、癒しになるぬいぐるみに応援しているから頑張ってと言われているようでよりやる気がでる。錘は布袋・クッション材・ぬいぐるみ生地の三重構造で包まれているので足首を痛める心配もなく、腕や脚のウエイトトレーニング用に使用する場合もダンベルのような鋼鉄のものと違い砂等の分散されるものが入っており三重に包まれているためダンベルと比べ危険度がはるかに少ない。腹筋・ウエイトトレーニングに疲れたら枕としても使える。ベンチ等と違い持ち運びが簡単で、使用しない時はインテリアとして飾って置ける。
【考案を実施するための最良の形態】
【０００６】  ぬいぐるみの大きさは、足首の上に置いた時ずり落ちないように両脇が床に着く位の大きさする。錘袋は、ぬいぐるみの底面と同じような形で一回り小さい袋を作り中に砂・砂利・鉄粒等の錘を入れる。腹筋している時頑張ってとぬいぐるみが応援してくれているかのようにするため、ぬいぐるみの顔の向きや視線を腹筋者に合わせた形にする。
【実施例】
【０００７】  以下、添付図面に従って実施例を説明する。１は錘を入れるための布袋。全長は足首の上に置いた時両脇が床に着く位の大きさにする。２は砂・砂利・鉄粒等の錘である。３は２の錘を１の袋に入れ完成した錘袋である。４はぬいぐるみ生地で作ったぬいぐるみである。大きさは３の錘袋同様足首の上に置いた時両脇が床に着く位の大きさ。（ｂ）は４のぬいぐるみの中に３の錘袋と５のクッション材を入れて完成した腹筋・ウエイトトレーニング用ぬいぐるみ枕である。
【産業上の利用可能性】
【０００８】  本考案は、腹筋・ウエイトトレーニング時の補助具として使用するものである。また、枕としても使用でき、使用しない時はインテリアとして飾って置ける。
【図面の簡単な説明】
【０００９】
【図１】  （ａ）砂・砂利・鉄粒等の錘を詰めた錘袋である。（ｂ）錘袋とクッション材を詰めて作ったぬいぐるみである。
【図２】  腹筋時の使用例である。
【符号の説明】
【００１０】１  錘を詰める布袋
２  砂・砂利・鉄粒等の錘
３  ２を１に詰めた錘袋
４  ぬいぐるみ生地で作ったぬいぐるみ
５  綿・スポンジ・羽毛等のクッション材
【図１】
0003139983.tif 000003
【図２】
0003139983.tif 000004
【手続補正書】
【提出日】平成19年11月28日(2007.11.28)
【手続補正１】
【補正対象書類名】実用新案登録請求の範囲
【補正対象項目名】全文
【補正方法】変更
【補正の内容】
【実用新案登録請求の範囲】
【請求項１】
ぬいぐるみの中に砂・砂利・鉄粒等の錘になるものを詰めた錘袋と、錘袋の周りに綿・スポンジ・羽毛等のクッション材になるものを詰めて作った腹筋・ウエイトトレーニング用錘入りぬいぐるみ。
(57)【要約】      （修正有）【課題】時計バンドに使われる中留金具が、構造上大きく目立ちブレスレットなどの装身具に使用するのには、装飾面において著しく不適切であるという不都合の解消。【解決手段】中留金具の上部及び側面などを覆う中留カバー、さらには、時計の文字盤やデザインした中留上板及び文字盤３０、もしくは装身具本体５の一部を取り付ける。【選択図】図３
0003139990.tif 000002
【実用新案登録請求の範囲】
【請求項１】
従来の時計に使われていた中留金具の上面及び側面を装飾を施したカバーで覆う事で、通称プレートと呼ばれる装身具用パーツに見せる事により、留メ具とわからないようにした事を特長とする中留金具
【請求項２】
従来の時計に使われていた中留金具の上面及び側面を覆い、なおかつその上に様々な形やデザインのプレートや時計の文字盤を載せたり、直に中留金具にデザインしたものを取り付けた事を特長とする中留金具
【請求項３】
従来の時計に使われていた中留金具の上面及び側面を覆い、その上にブレスレットなどの装身具本体を載せたり、または直に従来の中留金具にブレスレットなどの装身具を取り付ける事を特長とする中留金具
【考案の詳細な説明】
【技術分野】
【０００１】  本考案は、装身具に使用する中留金具に関する
【背景技術】
【０００２】  従来の中留金具では、時計のバンドなどに使用する三つ折れや観音開きなどの付け外しのしやすい留金具があった。そしてそれに対するカバーもあるが、傷防止の為であったり、また装飾をしてもあくまで留金具としての装飾にすぎなかった。
【考案の開示】
【考案が解決しようとする課題】
【０００３】  しかし、これらは時計に使用するには良いが、構造上どうしても大きくなってしまう為、ブレスレットなどの装身具に使用するには、本体に比べて中留金具が目立ちすぎてバランスが合わず、使用される事はなかった。
【課題を解決するための手段】
【０００４】  そこで、この中留金具を裏板まで含めた全体を留金具とわからないように覆うようにする。そこに様々なデザインを施す事が可能である。また金属にデザインを施しても良いし、天然石やガラス、樹脂、さらには時計の文字盤などを従来の中留金具の上に取り付ける事で、中留金具を見えなくする事が可能となり、デザイン上違和感がなくなる事になる。また中留金具の裏側は装着の際、見えないので必しも覆う必要はない。覆う際は中留金具の裏板の裏側に中留金具カバーのデザインに合う板を取り付ける。
【考案の効果】
【０００５】  よって、本考案の中留金具により、ブレスレットなどにも本体の一部としての使い方が出来、またプレートとして前面に出して見せる事が可能となる。時計としては留金具が文字盤の下にくる事で、従来の留金具の位置に留金具がなくなり、例えば女性が手首の内側に文字盤がくるような時など、手首の上部は正にブレスレットとしての見せ方が可能となる。
【考案を実施するための最良の形態】
【０００６】  本考案に係る中留金具３０は、図１に示す中板２や裏板３を含む中留金具２０を上面及び側面を覆う１０。ただし、プッシュボタンのタイプの中留金具の場合は、プッシュボタンの部分は空けておく。さらに中留金具２０の上にデザインプレートや文字盤３０や天然石、ガラス、樹脂、金属などの装身具本体５を取り付けて中留金具２０が見えないようにしてもよい。
【図面の簡単な説明】
【０００７】
【図１】  従来の中留金具の斜視図である。
【図２】  本考案に係る中留金具カバーの斜視図である。
【図３】  本考案に係る中留金具に上板を取り付けた状態の平面図である。
【図４】  本考案に係る中留金具に上板を取り付けた状態の正面図である。
【図５】  本考案に係る中留金具に装身具本体を取り付けた状態の平面図である。
【符号の説明】
【０００８】１    従来の中留金具
２    中板
３    裏板
４    プッシュボタン
５    装身具本体
１０  本考案の中留カバー
２０  従来の中留金具
３０  本考案の中留上板及び文字盤
【図１】
0003139990.tif 000003
【図２】
0003139990.tif 000004
【図３】
0003139990.tif 000005
【図４】
0003139990.tif 000006
【図５】
0003139990.tif 000007
(57)【要約】      （修正有）【課題】使用時に線香に着火する必要がなく転倒しても火災等の危険性がない安全性の高い葬祭用具を提供する。【解決手段】棒状線香の端部適部を白色系とし残部を有色系とし、白色系部に吸水性を持つことを特徴とした線香の芳香を持ち有色系に着色された揮発性液体、もしくは更に、夜行塗料を混入した揮発性液体に、棒状線香の端部適部を白色系とし、残部を有色系とし、白色系部は吸水性を持つことを特徴とした線香の白色系部を浸漬せしめて線香の芳香を漂わせ、もしくは更に、暗夜に光ることを特徴とした線香。【選択図】図１
0003139981.tif 000002
【実用新案登録請求の範囲】
【請求項１】
棒状線香の端部適部を白色系とし残部を有色系とし、白色部に吸水性を持つことを特徴とした線香。
【請求項２】
線香の芳香を持ち有色系に着色され、且つ、夜光塗料を混入した揮発性液体に、請求項１の線香白色部を浸漬せしめて線香の芳香を漂わせ、暗夜に光ることを特徴とした線香。
【考案の詳細な説明】
【技術分野】
【０００１】  本考案は、葬祭具の仏壇等に呈する棒状の線香に関し、特に、線香に着火しなくても、また電力を用いなくても香りを放ち安全に使用できる線香に関する。
【背景技術】
【０００２】  従来より、火気を使用する線香と香炉とからなる葬祭具がある。また、火気を用いない線香として、例えば、（特許文献１）に開口部を設けた棒状有底筒の中空状内部に線香の香料を含浸させた揮発性固形部材や揮発性液体部材を挿入した「火無し線香」が記載されている。また、（特許文献２）電力を使用する「電子線香」なるものが知られている。
【特許文献１】実用新案公開平０５−１９３２５
【特許文献２】特許公開２００２−２７２５９２
【考案の開示】
【考案が解決しようとする課題】
【０００３】  従来、仏事等に用いられる伝統的な線香は、一般に市販の線香台に充填された灰に立てられ、先端部に火を付けて使用するものである。そのため、無人の場合に倒れて火災の危険性があった。更に、煙が室内に充満し健康を損なうため、換気が必要であった。【０００４】  また、電子線香なるものは、電池を使用するため、電池残量を判断することが難しく電池切れをおこしてしまう欠点があった。
上述の火無し線香は、線香自体に複雑な加工が必要な難点があった。
【課題を解決するための手段】
【０００５】  上記従来の課題を解決するため本考案は、棒状線香の端部適部を白色系とし残部を有色系とし、白色部に吸水性を持つことを特徴とした線香を、線香の芳香を持ち有色系に着色され、且つ，夜光塗料を混入した揮発性液体に、線香白色部を浸漬せしめて線香の芳香を漂わせ、暗夜に光ることを特徴とした線香を従来からある線香台に供する。
本考案は使用時に線香に着火する必要がなく転倒しても火災等の危険性がなく、煙により、健康に害を及ぼすこともない。また、電気や複雑な加工も必要としない。
【考案の効果】
【０００６】従来より用いられている線香のように、火をつける必要がまったく無いため火災の心配が無い。更に、煙による、健康への害を及ぼすこともない。
また、電気的な仕掛けも必要がなく、線香自体に複雑な加工も必要がない。【０００７】この線香を浸漬せしめる液体の芳香も、数種類用意することによって個人の好みで選択することも出来る。
また、浸漬した線香は、揮発性液体を使用するため芳香を迅速に得ることができ、従来からある線香台に供し仏壇等に向き合って違和感なく供養することができる。
【考案を実施するための最良の形態】
【０００８】本考案を実施例に基づいて、図１、図２、図３に従って説明する。
図１、１は本考案の線香本体、２は白色系とした吸水性を持った線香端部、３は緑色または、茶色等の任意な色に着色された残部で構成されている。
４は、一般的な液体を入れる容器であり、線香の芳香を持ち赤色系の任意の色に着色され、夜光塗料を混入した揮発性液体５が入っている。【０００９】線香１は、紙系素材や、化学繊維素材などで液体を吸収できるように加工されている。また、２の白色部分だけを吸水性にし残部は吸水性がなくてもかまわない。【００１０】図２、１は本考案の線香、４は一般的な液体を入れる容器、５は線香の芳香を持ち赤色系の任意の色に着色され夜光塗料を混入した揮発性液体である。この５液体の芳香は、白檀、沈香、伽羅、ハーブ類などである。【００１１】一般的にある液体容器４に、上述の揮発性液体５が入れてある。この液体５に、線香白色部２を浸漬させる。線香白色部２に液体５が吸水される。【００１２】図３、６は一般的な線香立て、４は一般的な液体を入れる容器である。５液体は赤色系の任意の色に着色されているため、線香白色部２は赤色系の任意の色に着色され擬似的に火がついたように見える。また、５液体に夜光塗料を混入されているため暗闇にうっすらと発光し擬似的に火がついたように見える。【００１３】線香２に吸水された５液体は、揮発性であることから線香台６に立てることにより、線香の芳香が迅速に周囲に漂うことができる。
上記、一連の動作は一般的な火をつけて供する線香と同じような擬似的手順、作法で行えるため、厳粛な気持ちで供養することができる。
【図面の簡単な説明】
【００１４】
【図１】本考案の実施の形態を示す正面図
【図２】本考案の実施の形態を示す平面図
【図３】本考案の実施の形態を示す線香を供した正面図
【符号の説明】
【００１５】１  線香本体
２  吸水性を持った白色部
３  有色残部
４  液体容器
５  液体
６  一般的な線香台
７  蓋
【図１】
0003139981.tif 000003
【図２】
0003139981.tif 000004
【図３】
0003139981.tif 000005
【手続補正書】
【提出日】平成19年11月21日(2007.11.21)
【手続補正１】
【補正対象書類名】実用新案登録請求の範囲
【補正対象項目名】全文
【補正方法】変更
【補正の内容】
【実用新案登録請求の範囲】
【請求項１】
棒状線香の端部適部を白色系とし残部を有色系とし、白色系部は吸水性を持つことを特徴とした線香。
【請求項２】
線香の芳香を持ち有色系に着色された揮発性液体、もしくは更に、夜光塗料を混入した揮発性液体に、棒状線香の端部適部を白色系とし残部を有色系とし、白色系部は吸水性を持つことを特徴した線香の白色系部を浸漬せしめて線香の芳香を漂わせ、もしくは更に、暗夜に光ることを特徴とした線香。
(57)【要約】      （修正有）【課題】自動車用のサイドミラーにおいて、ミラーの角度を動かさなくても下後方の視界を確保し、縦列駐車や車庫入れの簡易性及び安全性を高める。【解決手段】自動車用のサイドミラーを上から下へ向かって後方に凸面となるように湾曲させ、特にミラー下部２を上部１に比べて大きく湾曲させ、下後方の道路のラインや障害物を視界に入れることが出来るようにする。【選択図】図１
0003139989.tif 000002
【実用新案登録請求の範囲】
【請求項１】
自動車のサイドミラーを上から下へ向かって後方に凸面となるように湾曲させ、特にミラー下部を上部にくらべて大きく湾曲させ、ミラーの角度を動かさなくても車庫入れバック時のラインを視野に入れることの出来るバック補助ミラー。
【考案の詳細な説明】
【技術分野】
【０００１】本考案は、サイドミラーを上から下へ向かって後方に凸面となるように湾曲させ、特にミラー下部を上部に比べて大きく湾曲させ、ミラーの角度を動かさなくても縦列駐車や車庫入れなどをする際に、下後方のラインや障害物を視野に入れる事によるスムーズな運転と事故防止に関するものである。
【背景技術】
【０００２】従来のサイドミラーでは、縦列駐車や車庫入れなどをする際に、ミラーの角度を動かさなければラインや障害物を確認しにくいため、事故につながりかねないという問題があった。
【考案の開示】
【考案が解決しようとする課題】
【０００３】本考案は、下後方への視界を広げ、今まで見えなかったラインや障害物の確認を容易にし、縦列駐車や車庫入れの簡易性を高め、事故防止を図るものである。
【課題を解決するための手段】
【０００４】本考案が採用する自動車用バック補助ミラーは、ミラーを緩やかな曲面とし、特にミラー下部分を緩やかに曲折させ、ミラーの角度を動かさなくてもバック走行時の下後方の視界を確保するものである。
【考案の効果】
【０００５】本考案を使用することにより、従来のサイドミラーではミラーの角度を動かさなければ視界に入れることができなかった下後方への視界を確保出来るため、縦列駐車や車庫入れ時にラインや障害物をミラーで確認することが出来る。そのため、従来のサイドミラーより縦列駐車や車庫入れが簡易となり、安全性も高くなる。
【考案を実施するための最良の形態】
【０００６】図に示すように、本考案の自動車用バック補助ミラーは、ミラーを上から下へ向かって後方に凸面となるように湾曲させ、特にミラー下部を上部に比べて大きく湾曲させることにより、ミラーの角度を動かさなくても車庫入れやバック時のラインを視野にいれることの出来るサイドミラーである。
【図面の簡単な説明】
【０００７】
【図１】本考案である自動車用バック補助ミラーを正面（運転者の視点）から見た図である。本図は普通車用である。
【図２】本考案である自動車用バック補助ミラーを横から見た図である。本図は普通車用である。
【図３】本考案である自動車用バック補助ミラーを正面（運転者の視点）から見た図である。本図はワンボックス・トラック用である。
【図４】本考案である自動車用バック補助ミラーを横から見た図である。本図はワンボックス・トラック用である。
【符号の説明】
【０００８】１ミラー上部分
２ミラー下部分
【図１】
0003139989.tif 000003
【図２】
0003139989.tif 000004
【図３】
0003139989.tif 000005
【図４】
0003139989.tif 000006
(57)【要約】      （修正有）【課題】市販自動車ボディーカバー内側に防水性のインナーカバーを設ける事で、擦り傷・汚れを防ぐ。【解決手段】市販自動車ボディーカバー１の内側に防水性のインナーカバー２（インナーカバーの材質は薄手のポリエチレンを使用）を設け、両面テープ３で１と２を固定し、一体化させる事で擦り傷・汚れを防ぎ、自動車メンテナンスの時間的、労働的負担軽減が可能となる又、カバーを一体化している事でインナーカバー脱着作業の負荷は発生しない。【選択図】図２
0003139982.tif 000002
【実用新案登録請求の範囲】
【請求項１】
市販自動車ボディーカバー内側に防水性のインナーカバーを設ける事で、擦り傷・汚れを防ぐボディーカバーを二重構造にする事を特徴とするインナーボディーカバー
（インナーカバーの材質は薄手のポリエチレンを使用）
【考案の詳細な説明】
【背景技術】
【０００２】露天駐車場に駐車する場合、汚れを防止する為、市販自動車ボディーカバーを使用しているが、装着に伴う擦り傷の発生や、防水が不完全な為、汚れが車体に付着する。
自動車の擦り傷や汚れ防止には屋内駐車の利用が効果的である。
【考案の開示】
【考案が解決しようとする課題】
【０００３】屋内駐車場の利用は台数の制限や経済的負担も大きい、従って、市販ボディカバー内側にインナーボディーカバーを装着することにより、装着に伴う擦り傷の発生抑制や、防水機能を大幅に向上させ自動車のメンテナンスに関わる時間的、労働的負担が軽減可能になり前述の欠点を解決しようとするものである。
【課題を解決するための手段】
【０００４】本考案は、市販自動車ボディーカバー内側に防水性のインナーカバーを設け、カバーを二重構造とすることで問題点を解決している。
【考案の効果】
【０００５】上述の様に、本考案のインナーボディーカバーは市販自動車ボディーカバーを二重構造とすることで装着に伴う擦り傷の発生抑制や、防水機能を大幅に向上させる。
【考案を実施するための最良の形態】
【０００６】市販自動車ボディーカバー内側に防水性のインナーカバーを両面テープで付着させ、カバーを二重構造とし市販自動車ボディーカバーの脱着と同一作業でインナーカバーの脱着を可能とさせ、インナーカバー脱着の負荷をなくす。
【実施例】
【０００７】以下、添付図面に従って一実施例を説明する。１はボディカバー本体、２はインナーボディカバー、３は両面テープ、３で１と２を固定させ二重構造の一体化を図っている。
【図面の簡単な説明】
【０００８】
【図１】本考案のインナーカバーの装着例を示す正面図である。
【図２】本インナーカバーの装着例を示す側面図である。
【符号の説明】
【０００９】１  市販のボディーカバー
２  インナーボディーカバー
３  両面テープ
【図１】
0003139982.tif 000003
【図２】
0003139982.tif 000004
【手続補正書】
【提出日】平成19年11月27日(2007.11.27)
【手続補正１】
【補正対象書類名】実用新案登録請求の範囲
【補正対象項目名】全文
【補正方法】変更
【補正の内容】
【実用新案登録請求の範囲】
【請求項１】
市販自動車ボディーカバー内側に防水性の薄手のポリエチレン製インナーカバーを設ける事で、擦り傷・汚れを防ぐ
ボディーカバーを二重構造にする事を特徴とするインナーボディーカバー
(57)【要約】      （修正有）【課題】長さの違う２本の指の中節部中央に個々のベルトの中央部が位置するよう、ベルトの位置を段違えになるようにずらした装具を作成し、指の固定を可能にする。ずらしたベルトの中央部は固定が弱くなるため２本の指の外周を固定するベルトを作成し、２本の指の十分な固定を可能にする。【解決手段】環指と小指の固定の場合、環指の中節部にＡとＡ′を合わせ、小指にＢとＢ′を合わせる。そして、ベルトは面状の締結手段となっているので、ＡとＡ′を貼り合わせ、ＢとＢ′を貼り合わせる。その後、Ｃを環指と小指に巻きつけて、ＣをＣ′に張り合わせる。【選択図】図７
0003139829.tif 000002
【実用新案登録請求の範囲】
【請求項１】
示指と中指、中指と環指、環指と小指のようなそれぞれの長さの違う指に合ように、段違えになったベルトで指を固定する装具。
【請求項２】
指を固定するベルトが、請求項１のベルトに付いており、そのベルトは請求項１の外周をめぐらせて固定し、そのベルトで２本の指の固定を向上させる装具。
【考案の詳細な説明】
【考案の詳細な説明】
【技術分野】
【０００１】  従来のＰＩＰ関節側副靭帯損傷〔図１〕〔図２〕、基節骨骨折〔図２〕の治療手段として、損傷指とそれに隣接する指を固定する装具が用いられている。【０００２】  その固定は、２本の指どうしの長さに違いがあり、関節の位置が合わず、十分な固定ができずにいた。
【背景技術】
【０００３】  小指近位指節間関節側副靭帯損傷の場合、環指の中節骨部と小指の中節骨部の固定が必要となり、従来の装具〔図３〕を用いて固定をしていた。【０００４】  しかし、それらの指の長さが違いそれぞれの中節骨部の中央が装具で固定できずに〔図４〕〔図５〕、ずれてしまい固定が不良となっていた。【０００５】  または、伸縮性のある布テープなどで固定が行われていた。この場合、テープの巻き方がきつ過ぎたり、ゆる過ぎたりする事があった。【０００６】  また、指の処置を行う時にはテープを外して、またテープを巻きなおす作業がありコストがかかっていた。前者、後者に共通する点は、固定が緩んだ場合、患者自らの片手だけでしっかりとした固定をやり直すことが難しい事、固定をした状態で手指の屈曲伸展運動を行うと固定がずれてしまい固定が不良となること、関節の位置が違うため固定が不良なためにねじれが生じていた。示指と中指、中指と環指の場合も同様となる。【０００７】  小指基節骨骨折の場合も上記と同様で、環指と小指の中節部の固定が必要で、問題となる点が同様となる。示指と中指、中指と環指の場合も同様となる。【０００８】
【特許文献１】  実用新案出願２００１−５３８３号広報
【特許文献２】  実用新案出願２００６−２４４６号広報
【発明が解決しようとする課題】
【０００９】  従来の装具では装具の形態上、ベルトの位置が長さの違う２本の指の適切な位置で固定できず、固定が不十分で装具がずれてしまうことが問題となっていた。
【００１０】  本発明は、長さの違う２本の指の中節部中央に個々のベルトの中央部が位置するよう、ベルトの位置を段違えになるようにずらした装具を作成し、指の固定を可能にする。
【００１１】  ずらしたベルトの中央部は固定が弱くなるため２本の指の外周を固定するベルトを作成し、２本の指の十分の固定を可能にする。これらのことを患者自ら片手だけで固定可能にする。
【課題を解決するための手段】
【００１２】  示指と中指、中指と環指、環指と小指のようなそれぞれの長さの違う指に合ように、段違えになったベルトで指を固定する装具。
【００１３】  指を固定するベルトが、段違えになったベルトの片方に付いており、そのベルトは２本の指を固定した部分の外周をめぐらせて固定し、そのベルトで２本の指の固定を向上させる装具。
【００１４】  示指と中指、中指と環指、環指と小指のような長さの違う指の良好な固定が容易に得られるよう、ベルトの位置を段違えにして個々の中節部に位置するようにずらす。
【００１５】ずらすことでできる２指の指間の固定力の低下とねじれを、その２指の外周を固定するベルトを追加することで補強する。以上の課題が患者自らの片手だけで装着が容易に行える。
【発明の効果】
【００１６】  長さの違う２本の指の固定が容易に行え、指の運動が可能。患者自身での装着、脱着が容易に可能。以上より、指の治療に有用である。
【考案を実施するための最良の形態】
【００１７】  図６のような面状の締結手段でできた装具を、環指と小指に取り付けて使用する。示指と中指、中指と環指の場合も同様に使用する。
【実施例】
【００１８】  環指と小指の固定の場合、環指の中節部にＡとＡ′を合わせ、小指にＢとＢ′を合わせる〔図７〕。そして、ベルトは面状の締結手段となっているので、ＡとＡ′を貼り合わせ、ＢとＢ′を貼り合わせる〔図８〕。その後、Ｃを環指と小指に巻きつけて、ＣをＣ′に張り合わせる〔図９〕。
【図面の簡単な説明】
【図１】指のそれぞれの関節の名称を示す図である。
【図２】指のそれぞれの骨の名称と靭帯の名称を示す図である。
【図３】従来の装具を示す外観図である。
【図４】従来の装具を装着した状態を手の背側から示す外観図である。
【図５】従来の装具を装着した状態を手の側方から示す外観図である。
【図６】本発明の装具を示す外観図である。
【図７】本発明の装具の装着の方法を示す外観図である。
【図８】本発明の装具の装着の方法を示す外観図である。
【図９】本発明の装具を装着した状態を示す外観図である。
【符号の説明】
▲１▼・・・ベルトの幅
▲２▼・・・装具の全長
▲３▼・・・ベルトの幅
▲４▼・・・ベルトの幅
▲５▼・・・装具の幅
Ａ・・・ベルトの部位を示す
Ａ′・・・ベルトの部位を示す
Ｂ・・・ベルトの部位を示す
Ｂ′・・・ベルトの部位を示す
Ｃ・・・ベルトの部位を示す
Ｃ′・・・ベルトの部位を示す
【図１】
0003139829.tif 000003
【図２】
0003139829.tif 000004
【図３】
0003139829.tif 000005
【図４】
0003139829.tif 000006
【図５】
0003139829.tif 000007
【図６】
0003139829.tif 000008
【図７】
0003139829.tif 000009
【図８】
0003139829.tif 000010
【図９】
0003139829.tif 000011
(57)【要約】      （修正有）【課題】プロジェクターを自由に出し入れ出来るスペースを確保して、ビデオ、ＤＶＤプレーヤー又は、ノートパソコンを格納してスピーカー・アンプを取り付け固定したトランクケースを提供する。【解決手段】プロジェクターを自由に出し入れ出来るようにしたトランクに、ビデオ、ＤＶＤプレーヤー又は、ノートパソコンを格納できるようにしてアンプ・スピーカーを取り付け固定することを特徴としたトランクである。【選択図】図２
0003139836.tif 000002
【実用新案登録請求の範囲】
【請求項１】
トランク本体の上面の長さ方向の少なくとも半分以上と側面の一部とからなる上蓋が開閉自在であり、内部にアンプ・スピーカーが固定され、ビデオ・ＤＶＤプレーヤーまたはノートパソコンが出し入れ可能に収納されたことを特徴する投影式プロジェクター用トランク。
【考案の詳細な説明】
【考案の分野】
【０００１】この考案は、内部にアンプ・スピーカーを備えかつビデオ・ＤＶＤプレーヤーまたはノートパソコンを収納できる投影式プロジェクター用トランクに関するものである。
【背景技術】
【０００２】従来は映写に必要な機材一式を一体化したトランクがあるが、この機材は全てが固定されて出し入れがすることが出来なかった。
【考案の開示】
【考案が解決しようとする課題】
【０００３】しかし、このトランクは全体的に大型になり、総重量が、例えば約２５ｋｇにもなるため、運搬移動には、別に運搬用トランクケースを必要とし一人で運ぶのが困難であった。また機材が全て固定されているので、プロジェクターを取り外してノートパソコン等への流用が出来ず、不便かつ不経済であった。【０００４】本考案は、以上のような問題点を解決するためになされたものであり、その目的は一人でも持ち運びが出来、かつ内部に収納したプロジェクター等を出し入れすることができる投影式プロジェクター用トランクを提供することである。
【課題を解決する為の手段】
【０００５】以上の課題を解決するための投影式プロジェクター用トランクは、トランク本体の上面の長さ方向の少なくとも半分以上の側面の一部とからなる上蓋が開閉自在であり、内部にアンプ・スピーカーが固定され、ビデオ・ＤＶＤプレーヤーまたはノートパソコンが出し入れ可能に収納されたことを特徴とする。
【実用新案の効果】
【０００６】プロジェクターの格納容積以外のスペースに映写に必要な機材が、一つのトランク自体に合理的に取り付けされているので小型軽量になり一人での運搬、移動が容易である。
【０００７】プロジェクターの出し入れが自由なのでプロジェクターをノートパソコンの音声付データー上映にも流用できる。
【０００８】すでにこのトランクに格納できる容積サイズ以内のプロジェクターを所有している時は、それを使用できるので経済的である。
【０００９】格納可能容積以内のプロジェクターであれば、どこのメーカーのプロジェクターでも使用出来るのでプロジェクターの選択範囲が広くなる。
【考案を実施するための最良の状態】
【００１０】以下、本考案の実施の形態について図面に基づいて説明する。
図１は本考案の投影式プロジェクター用トランク（以下単にトランクという）の斜視図であり、図２はトランクを横倒しして上蓋を開いた斜視図、図３は、トランク本体内からプロジェクターを取り出した状態の斜視図である。
【００１１】このトランク１は図１に示すように直方形であり、トランク本体２の上部に、上面の長さ方向の半分以上と側面の一部とからなる上蓋３がちょう板４で開閉自在に形成されている。この上蓋３は、係止片５で開閉が規制され、この係止片５のロックを解除することにより、図に示すように、開閉できるようになっている。また上蓋３の上面には、持ち運びするための握持部６が設けられ、この握持部を運搬者が持つことにより、一人でも運ぶことが可能になっている。
【００１２】図２は、トランク１を横倒にして、上蓋３を開放した状態を示したものであり、トランク本体２の内部に収納した器材を使用する場合には、このような状態にするものである。上蓋３の係止片５のロックを外すとちょう板４を中心にして上蓋３が回転して開放される。
【００１３】この上蓋３が開放された、トランク本体２の内部には、ビデオ・ＤＶＤプレーヤー７とプロジェクター８とが収納されている。このビデオ・ＤＶＤプレーヤー７は、上蓋３とは反対側の内部に収納され、トランク本体２を図のように横倒しした時に、通常の使用状態になるよう収納され、その隣にはプロジェクター８が収納されている。このプロジェクター８も前記と同様にトランク本体２を横倒しにした時に、ビデオ・ＤＶＤプレーヤー７の上面に設置されて、通常の使用状態になるように収納されている。
したがって、このビデオ・ＤＶＤプレーヤー７とプロジェクター８とは、トランク本体２を図１のように立てた状態にした時には、立てた状態になる。
【００１４】また、プロジェクター８の両側における内側面には、アンプ・スピーカー９が固定され、スピーカー１０が両側面の内側に設置されている。またアンプには、プロジェクター８と電気的に接続する為の端子１１が設置されている。
【００１５】図３は、プロジェクターをトランク本体２の内部から取り出したものであり、このように自由に取り出し使用することができ、この場合もアンプ・スピーカー９と電気的に接続して使用するものとする。
そして、プロジェクター８を使用した後は元に戻して、上蓋３を閉じることにより、自由かつ容易に持ち運びをすることができる。尚、このプロジェクター８に代わり、ノートパソコンを収納した場合も同じようにする。
【図面の簡単な説明】
【００１６】
【図１】本考案の投影式プロジェクター用トランクの斜視図である。
【図２】投影式プロジェクター用トランクを横倒しにして上蓋３を開放した状態である。
【図３】プロジェクターを投影式プロジェクター用トランク本体２の内部から取り出した状態である。
【符号の説明】
【００１７】１  投影式プロジェクター用トランク
２  トランク本体
３  上蓋
４  ちょう板
５  係止片
６  把持部
７  ビデオ・ＤＶＤプレーヤー
８  プロジェクター
９  アンプ・スピーカー
１０  スピーカー
１１  映像信号出力端子
【図１】
0003139836.tif 000003
【図２】
0003139836.tif 000004
【図３】
0003139836.tif 000005
(57)【要約】      （修正有）【課題】越前古木80年以上の古木欅の優雅さ、重量感、木目の艶を加工表現することが主要な技術力となる。また四季折々の木目に溶け込む木書液の調合が重要である。これらの加工と技術力をベースに、名札表面に国際書家直筆による氏名及び裏面に依頼者の提言する座右の銘を表現し、芸術的価値の高い越前古木名札を作成する。【解決手段】雪国大野産の古木欅の優雅さ、重量感、木目の艶を加工表現するには、カンナの種別と削り方が仕上げを大きく左右するため、熟練工の養成と研鑽を図る。また寒暖に左右されない木書液の管理を行い、国際書家において紙面と同様な表現ができるよう工夫するなど、きめ細かい注意力をもって促進する。さらに揮毫表現に使用する朱肉圧についても、古木欅との融合を研鑽し技術の向上を図る。【選択図】図1
0003139832.tif 000002
【実用新案登録請求の範囲】
【請求項１】
福井県大野市産の樹齢80年以上の欅を使用し、名札表面に国際書家直筆に
よる氏名を、裏面に国際書家が依頼者の要望する座右の銘を直筆した国際書
家揮毫入り組合せからなる越前古木名札。
【考案の詳細な説明】
【技術分野】
【０００１】
本考案は、越前古木欅と国際友好書法協会会長及び中国正統派書聖・王義
史書法の継承者である国際書家揮毫入り座右の銘をリンクしたオリジナルの
名札である。古木の輝き、墨の流れ、朱肉の色合いを融合させた技法豊かな
手法は、新たな技術分野を開拓したものである。
【背景技術】
【０００２】
本考案は、越前古木の優雅さ、欅の重量感、木目の艶を加工技術で表現し
たほか、国際書家による木書の流動感と朱肉の輝きを重ねた芸術性の高い作
品である。
【０００３】
芸術的価値を書法の視点から開拓するとともに、越前古木欅の有効利用を
促進しようとするものである。
【０００４】
従来の名札は、商業的色合いが強く、一代限りに終わっていたきらいが見られたが、当該名札は芸術作品として、その職を退いた後もその人及び家庭の家宝となるものである。
【０００５】
本考案名札につき、最も技術を要することは固い欅の削りと木書液の乗り
が生命線であり、紙質と同様の流れを出すことが最も重要である。
【特許文献１】実用新案権文献なし
【非特許文献１】なし
【考案の開示】
【考案が解決しようとする課題】
【０００６】
解決しようとする問題点は、欅に溶け込む木書の流れと木目の輝きからく
る価値を受光できるよう加工することが最も主要な課題である。
【０００７】
課題を解決するための手段  
木目に溶け込む筆の流れをよくするため、四季折々の木書液の寒暖を見極
めながら調合管理することが必要である。
【考案の効果】
【０００８】
本考案の越前古木には、大きさにより大・中・小3点の作品がある。国際
書家の書法を取り入れた作品は、芸術的な価値とともに愛好家並びに一般国
民に広く啓蒙され、書法の発展に貢献しようとするものである。
【考案を実施するための最良の形態】
【０００９】
三角柱の欅名札は、越前大野市原産の越前古木であり、愛好家待望の国書
家揮毫入り直筆の座右の銘を書き込みできるものである。また古木の輝き、
墨の流れ、朱肉の色合いを融合させながら、自然環境に触れ合う状態は最良
である。
【実施例１】
【００１０】
表１は、標準規格、標準価格及び名札の色彩を示したものである。
【００１１】
表2は、標準字体及び標準サイズを示したものである。
【００１２】
表3は、三角柱欅の名札及び座右の銘の例示を示したものである。
【００１３】
表4は、名札段数及び名札字数の例示を示したものである。
【００１４】
表5は、越前古木名札の規格別例示を写真で示したものである。
【００１５】
図1は、越前古木名札の注文に応じ、製作から引渡しまでの系統図を示
したものである。
【００１６】（公序良俗違反により、不掲載）【００１７】
【表２】
0003139832.tif 000003
【００１８】（公序良俗違反により、不掲載）【００１９】（公序良俗違反により、不掲載）【００２０】（公序良俗違反により、不掲載）
【産業上の利用可能性】
【００２１】
技能的な加工と芸術的な書法は、書心に通じる教本であり、越前古木欅活
用による書法の啓蒙、環境維持、文化活動及び産業経済活動に大きく貢献し
ていくものである。
【図面の簡単な説明】
【００２２】
【図１】越前古木名札の注文に応じ、製作から引渡しまでの系統図を示したもの
【図１】
0003139832.tif 000004
【手続補正書】
【提出日】平成19年12月11日(2007.12.11)
【手続補正１】
【補正対象書類名】明細書
【補正対象項目名】００１６
【補正方法】変更
【補正の内容】
【００１６】
【表１】
0003139832.tif 000005
【手続補正２】
【補正対象書類名】明細書
【補正対象項目名】００１８
【補正方法】変更
【補正の内容】
【００１８】
【表３】
0003139832.tif 000006
【手続補正３】
【補正対象書類名】明細書
【補正対象項目名】００１９
【補正方法】変更
【補正の内容】
【００１９】
【表４】
0003139832.tif 000007
【手続補正４】
【補正対象書類名】明細書
【補正対象項目名】００２０
【補正方法】変更
【補正の内容】
【００２０】
【表５】
0003139832.tif 000008
(57)【要約】      （修正有）【課題】歩行者誘導、会場施設、駐車場警備など、その環境・場所に応じて、所定の規格品を容易に選定することができ、また単独・短時間による処置・運搬・設置・撤収を可能とするため実用性があり、非常時の危機管理措置に貢献する。【解決手段】折りたたみ式設置盤、脱着金具付カラーコーン、間伐材使用指示板の組合せによる通行分離型折りたたみ式安全ロープで構成する。折りたたみ式設置盤には、二つ折れ基盤支軸と路盤との調整金具を取り付けて単独運搬を可能にしたほか、金具付カラーコーンには、ロープ及びカーラーコーンの脱着を容易にし、間伐使用指示板には、視認性の高い色彩を取り入れ、価格の削減化を図るなどの新たな技術分野を開拓した。  【選択図】図１
0003139833.tif 000002
【実用新案登録請求の範囲】
【請求項１】
歩行者誘導、車両誘導、会場施設、駐車場警備等における車両及び歩行者、
車両用通行分離帯設置又は通行禁止を行う場合、単独設置が可能な折りたた
み式設置盤と脱着容易な金具付カラーコーン、ロープ巻取り機からなる通行
分離型折りたたみ式安全ロープ。
【考案の詳細な説明】
【技術分野】
【０００１】
本考案は、折りたたみ式設置盤、脱着金具付カラーコーン、間伐材使用指
示板の組合せによる通行分離型折りたたみ式安全ロープである。折りたたみ
式設置盤には、二つ折れ基盤支軸と路盤との調整金具を取り付けて単独運搬
を可能にしたほか、金具付カラーコーンには、ロープ及びカラーコーンの脱
着を容易にし、間伐材使用指示板には、視認性の高い色彩を取り入れ、価格
の削減化を図るなど新たな技術分野を開拓したものである。
【背景技術】
【０００２】
単独設置を可能にした通行分離型折りたたみ式安全ロープであり、平常時
の安全誘導・非常時の危機管理を推進する場合において、迅速的確な初動措置がとれるよう緊急活動に貢献するものである。
【０００３】
折りたたみ式設置盤と脱着金具付の開発により短時間設置を可能とし、安
全かつ効率的である。
【０００４】
従来のカラーコーン、コーンバーを個々に設置する方式は、時間を要して
いた。とくに歩車道の通行分離、通行禁止を行う場合は、交通流の中で行わ
れるため、安全かつ迅速的確な措置が急務とされていた。
【０００５】
本考案につき、最も技術を要することは、両端サイドの折りたたみ式設置
盤を基軸とするため、安全ロープの設置距離を調節し、ロープの巻付き、垂
下りを防止するための強弱技術が重要である。
【特許文献１】実用新案権文献なし
【非特許文献１】なし
【考案の開示】
【考案が解決しようとする課題】
【０００６】
解決しようとする問題点は、折りたたみ式設置盤、巻取り機、脱着金具の
調節及びロープの左折や右折、回転を容易にすることが課題である。
【課題を解決するための手段】
【０００７】
折りたたみ式設置盤、巻取り機、脱着金具の調節は、事前点検と設置場所
確認を綿密に行い、ロープの巻付き・垂下りを防止し、左右折・回転を容易
にするためには、カラーコーンの配置箇所の点検・修正を解析して行うこと
が重要である。
【考案の効果】
【０００８】
本考案は、歩行者誘導、会場施設、駐車場警備など、その環境・場所に応
じて、所定の規格品を容易に選定することができる。また単独・短時間によ
る設置・運搬・設置・撤収を可能とするため実用性があり、非常時の危機管
理措置に貢献するものである。  
【考案を実施するための最良の形態】
【０００９】
本考案は、従来のカラーコーン、コーンバーによる個々設置の弊害を抑制
し、安全ロープの再利用、経費節減、単独作業を可能にしたものであり、経
済効果に一石を投じるものである。また歩行者誘導、会場施設、駐車場警備
など各種現場における安全、安心、快適な環境の提供、非常時の危機管理対
策に貢献するものである。
【実施例１】
【００１０】
表１は、標準規格、標準リース価格、価格比較表を示したものである。
【００１１】
表2は、本体規格及び標準規制板識別を示したものである。
【００１２】
表3は  標準重量を示したものである。
【００１３】
図1は、全体設置状況を示したものである。
【００１４】
図２は、断面及び写真を示したものである。
【００１５】
図3は、指示板断面及び写真を示したものである。
【００１６】
図4は、通行分離型折りたたみ式安全ロープの注文に応じ、製作から引渡
しまでの系統図を示したものである。
【００１７】
【表１】
0003139833.tif 000003
【００１８】
【表２】
0003139833.tif 000004
【００１９】
【表３】
0003139833.tif 000005
【産業上の利用可能性】
【００２０】
最近における安全、危機管理対策は、事業者責任を強く求められつつあり、とくに歩行者誘導、会場施設、駐車場警備など各種現場における安全、安心、快適な環境の提供、非常時の迅速な危機管理対策は、各団体、企業の存立基盤を危うくするものである。さらに初期的段階における安全資機材の活用は、防犯、防災並びに経済産業活動にも大きく寄与していくものである。
【図面の簡単な説明】
【００２１】
【図１】全体設置状況を示したもの
【図２】断面及び写真を示したもの
【図３】指示板断面及び写真を示したもの
【図４】通行分離型折りたたみ式安全ロープの注文に応じ、製作から引渡しまでの系統図を示したもの
【図１】
0003139833.tif 000006
【図２】
0003139833.tif 000007
【図３】
0003139833.tif 000008
【図４】
0003139833.tif 000009
【手続補正書】
【提出日】平成19年12月11日(2007.12.11)
【手続補正１】
【補正対象書類名】実用新案登録請求の範囲
【補正対象項目名】全文
【補正方法】変更
【補正の内容】
【実用新案登録請求の範囲】
【請求項１】
歩行者誘導、車両誘導、会場施設、駐車場警備等における車両及び歩行者、車両用通
行分離帯設置又は通行禁止を行う場合、単独設置が可能な折りたたみ式設置盤と脱着容
易な金具付カラーコーン（登録商標）、ロープ巻取り機からなる通行分離型折りたたみ  式安全ロープ。
(57)【要約】【課題】本考案ハンガーは等間隔隙間を保守しながら連結し多用途に衣服類が干すことができる。【解決手段】本考案ハンガー１ａに３ａを挿入を繰り返すことにより無限数が連結でき１対１対が２で竿が固定しているため片寄する事なく常に等間隔隙間を保守で４自体が脱着できるので多用途に干す事ができ隙間を交互に入れ替ることにより少なスペース内で干す事ができる【選択図】図１
0003139834.tif 000002
【実用新案登録請求の範囲】
【請求項１】
衣服類干しハンガーを２本で１対のハンガーに、等間隔の隙間を保守し連結板を取り付け無数に連結でき、又、衣服類掛用ハンガーが本体から取り外すこともでき、ハンガーの振れを最小限にするため竿掛挟みの中に１対にした板を入れたハンガー
【考案の詳細な説明】
【技術分野】
【０００１】  本考案は、衣類の洗濯干ハンガーが、連続して連結可態に関するものである。
【背景技術】
【０００２】  衣類ハンガーが風でハンガーが、密着したり、干物の形状が変ると各種形態の器具を使用しているので、広いスペースになる。
【考案の開示】
【考案が解決しようとする課題】
【０００３】  風による洗濯物が密着する事なく、又物の形状に応じた器具の選択も、必要とすることもなく、本考案ハンガー等間隔が保守される隙間を、利用する事により１器具で解決するもである。
【課題を解決するための手段】
【０００４】  ２つの衣服掛ハンガーを１対にし連結していくので、衣服類の数量によって本体ハンガーを連結取り付け、又、前もってある数量の本体ハンガーを取り付けておく等間隔の隙間を保たれながら干ことができ、必要に応じて、肩掛ハンガーが本体ハンガーから取り外す事もできるので形状に関係なく本考案ハンガーで解決ができる。
【考案の効果】
【０００５】  上述の様に常に等間隔隙間が保守されているので風通しもよく制限なく連結する事ができる
【考案を実施するための最良の形態】
【０００６】  １対になった本体ハンガーには、連結用アームとその受け口が付いているので、１対１対連結しながら等間隔隙間が、保守されているので、風等による片寄りがしないので様様な干し方ができ、衣服用ハンガーが取り外しができるので無理なく干ことができる
【実施例】
【０００７】  以下添付図面に従って、一実施例を説明する。
１対の１本体ハンガに、４衣類掛ハンガーを取り付けたまま、２干竿取り付け挟で物干竿に取り付け、副数の、１本体ハンガーを使用する時は３連結アーム、３ａ爪を１ａの爪入れフックに入れ物干竿に取り付けそれを繰り返すことにより無数に等間隔隙間を保守しながら連結する事ができる【０００８】  ２本の物干竿が２０ｃｍ以上の間が平行に使用する場合、１本体ハンガーの等間隔隙間を交互に取り付ける事により、少ないスペースで干すことができる。【０００９】  本考案は、一実施例は上述如き、１器種で様様な干方が可態でありアイロン不用の、ズボン・スラックス等、折り目を合せ裾を、５洗濯挟みで挟み逆干ししたり、周りを幕のように張ると隠し干しもできる。
これも常に隙間間隔が保守されるためできる事である。
【図面の簡単な説明】
【００１０】
【図１】本考案１双のハンガー全体の立体図である
【図２】衣服類掛ハンガーの取り外した正面図である
【図３】本考案ハンガーの連結の実施例を示す正面図
【符号の説明】
【００１１】１  ハンガー本体
２  干し竿取り付け挟み
３、連結用板
４  衣服類掛ハンガー
５  洗濯挟み
【図１】
0003139834.tif 000003
【図２】
0003139834.tif 000004
【図３】
0003139834.tif 000005